(57)【要約】【課題】一般に小型形状および幅広の発光パターンを有するように構成された発光デバイスが提供される。【解決手段】発光装置の一例は、軸を中心として配置され、第１の端部が第２の端部より狭い第１の端部と第２の端部とを有するリダイレクタであって、第１の端部と第２の端部との間にキャビティを画定するリダイレクタと、リダイレクタによって画定されるキャビティ内に少なくとも部分的に配置される電源と、軸を中心としてリダイレクタの第１の端部の周囲に配置される光源であって、電源によって電力供給され、リダイレクタの第２の端部に向かって軸に実質的に平行な光を投影するように構成される、光源とを含み得る。リダイレクタは、円錐台形状部を含み得る。【選択図】図１
2018152342.tif 000002
【特許請求の範囲】
【請求項１】
軸を中心として配置され、且つ、第１の端部と第２の端部を有するリダイレクタを備え、前記第１の端部は、前記第２の端部より狭く、前記リダイレクタは、前記第１の端部と前記第２の端部との間にキャビティを画定し、
更に、前記リダイレクタによって画定された前記キャビティ内に少なくとも部分的に配置される電源受容領域と、
前記軸を中心として前記リダイレクタの前記第１の端部に近接して前記リダイレクタの周囲に配置される光源と、を備え、前記光源は、電源受容領域内に受容される電源によって電力供給され、前記リダイレクタの前記第２の端部に向かって前記軸に実質的に平行な光を投影するように構成される、発光装置。
【請求項２】
前記リダイレクタは、円錐台形状部を備える、請求項１に記載の発光装置。
【請求項３】
前記円錐台形状部の外表面は、複数の傾斜段差の微細構造を備える、請求項１又は２に記載の発光装置。
【請求項４】
前記複数の傾斜段差は、前記円錐台形状部を形成するように、前記軸を中心として同心円状に配置され、前記軸の長さに沿ってオフセットされる、請求項１〜３のいずれか１項に記載の発光装置。
【請求項５】
前記電源は、前記リダイレクタの前記第１の端部と前記第２の端部との間に画定された前記キャビティ内に完全に受容される、請求項１〜４のいずれか１項に記載の発光装置。
【請求項６】
前記光源は、回路基板上に配置された複数の発光ダイオードを備え、前記回路基板は、前記リダイレクタの前記軸に直交する平面内で前記リダイレクタの前記第１の端部に位置決めされる、請求項１〜５のいずれか１項に記載の発光装置。
【請求項７】
前記複数の発光ダイオードは、前記ダイオードから放出された光の相対的に高い割合の光を方向付ける発光の主軸を有するように構成され、前記発光の主軸は、前記リダイレクタの前記軸に平行である、請求項６に記載の発光装置。
【請求項８】
前記リダイレクタの前記第２の端部に位置決めされる基部と、前記リダイレクタの前記第１の端部に位置決めされる頂部とをさらに備え、前記頂部は、その内部に画定され、発光ダイオード駆動回路基板と前記光源をオンオフするように構成された電源スイッチとを収容するキャビティを備える、請求項１〜７のいずれか１項に記載の発光装置。
【請求項９】
前記頂部はさらに、第１の接続ポートと第２の接続ポートとを備え、前記第１の接続ポートおよび前記第２の接続ポートのうちの一方は、前記装置の前記電源を充電するために使用される充電ポートであり、前記第１の接続ポートおよび前記第２の接続ポートのうちの他方は、前記他方の接続ポートに接続されたデバイスに電力を供給するように構成される、請求項８に記載の発光装置。
【請求項１０】
前記第１の接続ポートは、マイクロ・ユニバーサル・シリアル・バス（マイクロＵＳＢ）ポートであり、前記第２の接続ポートは、標準ユニバーサル・シリアル・バス（標準ＵＳＢ）ポートである、請求項９に記載の発光装置。
【請求項１１】
前記第１の接続ポートおよび前記第２の接続ポートの両方に接続するように構成されたケーブルをさらに備え、
前記ケーブルは、前記第１の接続ポートおよび前記第２の接続ポートの両方に同時に接続されたときにハンドルとしての機能を果たし、
前記ケーブルは、前記第１の接続ポートおよび給電用標準ＵＳＢに差し込まれたときに電力入力充電ケーブルとしての機能を果たし、
前記ケーブルは、前記第２の接続ポートおよびマイクロＵＳＢポートに差し込まれたときに電力出力充電ケーブルとしての機能を果たす、請求項１０に記載の発光装置。
【請求項１２】
前記基部と前記頂部との間に配置され、前記軸を中心として前記リダイレクタを取り囲むレンズをさらに備える、請求項８〜１１のいずれか１項に記載の発光装置。
【請求項１３】
第１の直径を有する第１の端部と、第１の端部より大きい第２の直径を有する第２の端部との間で軸に沿って延在する略円錐台状本体と、
前記第１の端部と前記第２の端部との間で前記本体内に画定されるキャビティと、
前記円錐台状本体に沿って配置される複数の同心状段差と、を備え、前記同心状段差の各々は、前記軸を中心として前記軸に平行に延在する略円筒状面を備える第１の部分と、隣接する段差の前記第１の部分間の境界面を備える第２の部分を備える、発光装置用リダイレクタ。
【請求項１４】
前記第２の部分は、隣接する段差の前記第１の部分間にアール面を備える、請求項１３に記載のリダイレクタ。
【請求項１５】
前記各段差の前記第２の部分は、前記本体の前記軸に平行な照射軸に沿って受光された光を反射するように構成される、請求項１３又は１４に記載のリダイレクタ。
【発明の詳細な説明】
【技術分野】
【０００１】
本発明の実施形態は、全般的には、照明を提供するためのシステムおよび方法に関し、特に、小型照明デバイス用の装置およびシステムに関する。
【背景技術】
【０００２】
電気的光源は、住宅用または商業用の照明設備から携帯用の懐中電灯に至るまで様々なフォームファクタで存在する。従来の白熱電球は、実質的に同様の光を提供すると同時に消費電力の少ない、より高効率な蛍光電球や電球型蛍光ランプ（ＣＦＬ）に取って代わった。蛍光灯は同等の明るさの白熱灯よりも高効率であるが、発光ダイオード（ＬＥＤ）は、特に小型のフォームファクタで同等もしくはそれ以上の明るい光を生成する点においてさらに高効率である。
【０００３】
ＬＥＤは、当初は、白熱灯または蛍光灯に比べて高価であったので、多くの用途に適したものではなかった。さらに、ＬＥＤは低強度であり、色の選択肢が限られていたことから、有用性が制限されていた。ＬＥＤ分野での近年の発展により、ＬＥＤ光源は、至る所で使用される、従来の光源の代替品または補助品となった。さらに、ＬＥＤは、同等の明るさの白熱灯または蛍光灯と比べて、かなり小さいフォームファクタで梱包され得る。ＬＥＤは、現在では、小型サイズおよびエネルギ−効率の点で恩恵が得られる懐中電灯や他の携帯用光源で使用され得る。
【発明の概要】
【発明が解決しようとする課題】
【０００４】
ＬＥＤは、蛍光灯や白熱灯とは異なる形で機能するので、これまで小型照明デバイスのような小型のフォームファクタでは得られなかった機能性および実用性を提供し得る。したがって、新しい小型のフォームファクタでＬＥＤの能力を引き出すのが望ましいことがある。
【課題を解決するための手段】
【０００５】
本明細書に記載されている実施形態は、一般に、小型形状および幅広の発光パターンを有するように構成された発光デバイスを提供する。一実施形態例によれば、発光装置が提供される。発光装置は、軸を中心として配置され、第１の端部が第２の端部より狭い第１の端部と第２の端部とを有するリダイレクタであって、第１の端部と第２の端部との間にキャビティを画定するリダイレクタと、リダイレクタによって画定されるキャビティ内に少なくとも部分的に配置される電源受容領域と、軸を中心としてリダイレクタの第１の端部に近接してリダイレクタの周囲に配置される光源であって、電源によって電力が供給され、リダイレクタの第２の端部に向かって軸に実質的に平行な光を投影するように構成される、光源とを含み得る。リダイレクタは、円錐台形状部を含み得る。リダイレクタは、円錐台形状部の周囲に配置される複数の傾斜段差の微細構造を含み得る。複数の傾斜段差は、円錐台形状部を形成するように軸を中心として同心円状に配置され、軸の長さに沿ってオフセットされ得る。
【０００６】
いくつかの実施形態によれば、発光装置の電源は、リダイレクタの第１の端部と第２の端部との間に画定されたキャビティ内に完全に受容され得る。光源は、回路基板上に配置された複数の発光ダイオードを含み得、回路基板は、リダイレクタの軸に直交する平面内でリダイレクタの第１の端部に位置決めされる。複数の発光ダイオードは、ダイオードから放出された光の相対的に高い割合の光を方向付ける発光の主軸を有するように構成され得、発光の主軸は、リダイレクタの軸に平行である。実施形態は、リダイレクタの第２の端部に位置決めされる基部と、リダイレクタの第１の端部に位置決めされる頂部とを含み得、頂部は、その内部に画定され、発光ダイオード駆動回路基板と、光源をオンオフし、調光する（明るさの増減）または異なる増分で輝度を上げるというような光の機能を制御するように構成された電源スイッチとを収容するキャビティを含み得る。頂部はさらに、第１の接続ポートと第２の接続ポートとを備え、第１の接続ポートおよび第２の接続ポートは共に、電源を充電するために電力を受け取る充電ポートである。第１の接続ポートは、例えば、マイクロ・ユニバーサル・シリアル・バス（マイクロＵＳＢ）ポートであり、第２の接続ポートは、標準ユニバーサル・シリアル・バス（ＵＳＢ）ポートであり得る。
【０００７】
本明細書に記載されている実施形態は、第１の接続ポートおよび第２の接続ポートの両方に接続するように構成されたケーブルを含み得、ケーブルは、第１の接続ポートおよび第２の接続ポートの両方に接続されたときにハンドルとしての機能を果たし、第１の接続ポートおよび給電用標準ＵＳＢポートに差し込まれたときに充電ケーブルとしての機能を果たし、さらに第２の接続ポートおよび給電用マイクロＵＳＢポートに差し込まれたときに充電ケーブルとしての機能を果たす。発光装置はさらに、軸を中心としてリダイレクタを取り囲んで基部と頂部との間に配置されるレンズを含み得る。
【０００８】
本明細書に記載されている実施形態は、発光装置用のリダイレクタを提供し得る。リダイレクタは、第１の端部と第２の端部との間で軸に沿って延在する略円錐台状本体であって、第１の端部は第１の直径を有し、第２の端部は第１の直径より大きい第２の直径を有する、略円錐台状本体と、第１の端部と第２の端部との間で本体内に画定されるキャビティと、円錐台状本体に沿って配置される複数の同心状段差であって、各々が、軸を中心として軸に平行に延在する略円筒状面を含む第１の部分と、隣接する段差の第１の部分間の境界面を含む第２の部分とを含む、同心状段差とを含み得る。第２の部分は、隣接する段差の第１の部分間にアール面を含み得る。各々の段差の第２の部分は、本体の軸に平行な照射軸に沿って受光された光の向きを変えるように構成され得る。各々の段差の少なくとも第２の部分は、反射材料を含み得る。キャビティは、リダイレクタ本体の第１の端部の周囲に配置された光源に電力を供給するための電源を受容するように構成され得る。
【０００９】
いくつかの実施形態は、第１の端部と第２の端部との間で軸に沿って延在する略円錐台状リダイレクタであって、第１の端部は第１の直径を有し、第２の端部は第１の直径より大きい第２の直径を有する、略円錐台状リダイレクタと、円錐台状本体に沿って配置される複数の同心状段差であって、各々が、軸を中心として軸に平行に延在する略円筒状面を含む第１部分と、隣接する段差の第１の部分間の境界面を含む第２の部分とを含む、同心状段差と、リダイレクタの第１の端部に近接してリダイレクタの周囲に配置され、リダイレクタの第２の端部に向かって発光の主軸に沿って光を放出するように構成された光源とを含む、発光装置を提供し得る。発光の主軸は、リダイレクタの軸に実質的に平行であり得、リダイレクタの段差それぞれの第２の部分は、光源によって放出された光の向きを変えるように構成され得る。略円錐台状リダイレクタは、内部にキャビティを画定し得、キャビティは、光源に電力を供給するための電源を少なくとも部分的に受容するように構成される。
【００１０】
本発明の概要を説明したが、次に、添付図面について説明する。図面は、必ずしも正確な縮尺で描かれているとは限らない。
【図面の簡単な説明】
【００１１】
【図１】本発明の一実施形態例の照明デバイスを示す図である。
【図２】本発明の別の実施形態例の照明デバイスを示す図である。
【図３】本発明の一実施形態例の照明デバイス用リダイレクタおよびその詳細を示した図である。
【図４】本発明の一実施形態例の１つの照明パターンを含むリダイレクタの斜視図である。
【図５】本発明の一実施形態例のリダイレクタの切り取り図である。
【図６】本発明の一実施形態例の照明デバイスの分解図である。
【図７】本発明の一実施形態例の照明デバイスの一部の断面図である。
【発明を実施するための形態】
【００１２】
本発明の好適な実施形態が示された添付図面を参照しながら、本発明についてより詳細に後述する。しかしながら、本発明は、多くの異なる形態で具現化され得、本明細書内で説明される実施形態に限定されるものとして解釈されるべきではなく、むしろ、これらの実施形態は、本開示が詳細かつ完全なものになるように提供されており、当業者に本発明の範囲を十分に伝えるものである。同じ番号は、全体を通して同じ要素を指す。
【００１３】
本発明の実施形態例は、全般的に、ランタンのフォームファクタの範囲内で具現化されるものとして説明され、図示されているが、明らかなように、本発明の実施形態は、拡大縮小が可能であり、特に、船舶用照明、捜索救助用ライト（例えば、投光照明器具）、信号燈のような多くのフォームファクタで使用され得る。そのため、本開示の目的は、単に実施形態例を提供することであり、制限するものではない。発光デバイスのさまざまなフォームファクタ、特に、小型のフォームファクタは、本明細書に記載されている本発明の実施形態から利益を得ることができる。
【００１４】
図１を参照すると、本発明の実施形態は、操作ボタン１２０と携行もしくは取り付けハンドル１３０とを含むランタン頂部１１０を有する図１のランタン１００のようなランタンの形で実現され得る。取り付けハンドルは、以下で詳細に説明されるように、コネクタ１４０およびランタン頂部の反対側の第２のコネクタによってランタン頂部１１０に取り付けられ得る。ランタン頂部１１０は、図示されているように、リダイレクタ１６０を取り囲む筐体１５０またはレンズを含むランタン本体１００に取り付けられる。図１の実施形態によれば、リダイレクタは、一方の端部（図１の実施形態では、ランタンの基部１９０）に近接する狭い端部と、他方の端部（図示されている実施形態では、ランタン頂部１１０）に近接する広い端部とを有するテーパー状の円錐台形状部を有する。
【００１５】
リダイレクタ１６０の円錐台形状部の狭い端部は、回路基板１８０上に配置された複数のＬＥＤ１７０のような光源で取り囲まれ得る。光源（ＬＥＤ１７０）は、各々のＬＥＤからの光が最も強くなる発光の主軸を有し得、この軸は、リダイレクタ１６０の傾斜反射面に向かう上向きの軸であり得る。ＬＥＤ１７０は、リダイレクタ１６０の円錐台形状部の軸に実質的に平行な、またはリダイレクタ１６０の軸に向かってわずかに（例えば、０〜１０°）傾斜する可能性がある個々の発光の主軸によって配向され得る。実質的に平行は、平行または平行の有限測度の範囲内（例えば、２°以内）を含み得る。製作公差により、精密に平行からある程度の差異またはズレが生じ得るので、「実質的に平行」は、平行およびこのような平行の製作公差の範囲内を含む。リダイレクタ１６０にぶつかるＬＥＤ１７０からの光によって生じる照明パターンについて、さらに詳細に説明する。
【００１６】
図示されている実施形態によれば、ランタンの基部１９０は、 図１に示されているように、円筒状ランタン端部（図示されていないが、通常は図示されているＬＥＤ１７０の下に配置される）を取り囲む取り外し可能な安定基部であり得る。円筒状のランタン端部は、リダイレクタ１６０内に配置されたキャビティに接近するためにランタン本体から取り外し可能であり得、キャビティ内には、電池、充電池、蓄電器などの電源が保管され得る。基部１９０が取り外し可能である一実施形態では、基部１９０は、基部１９０の入れ替えおよびランタンの磁気吸引面への付着を可能にする磁石によって、円筒状ランタン端部上で保持され得る。
【００１７】
図１は、本発明の一実施形態例のランタンの要素の１つの配置を示しているが、図２は、本発明の一実施形態例のランタンの要素の第２の配置を示している。図２の実施形態によれば、リダイレクタ１６０は、図１の実施形態に対して逆転した形であり得、円錐台形状部の狭い端部がランタンの頂部１１０に近接して配置され、円錐台形状部の広い端部がランタン１００の基部１９０に近接して配置される。図２の図示されている実施形態では、複数のＬＥＤは、ランタン１００の頂部１１０と筐体１５０／リダイレクタ１６０との間の境界面に近接するリダイレクタ１６０の狭い端部の周囲に配置され得る。このようにして、ＬＥＤは、実質的にリダイレクタ１６０の軸に沿うが、図１のＬＥＤの反対方向に基部に向かう発光の主軸を有する。この場合も、図２のランタンのＬＥＤの発光の主軸は、リダイレクタ１６０の中心に位置する軸に向かって（例えば、０〜１０°）傾斜され得る。
【００１８】
いくつかの実施形態によれば、リダイレクタ１６０は、ランタン１００から所望の方向に離れた光の反射および／または屈折を高めるように構成された表面を有し得る。リダイレクタ１６０の表面は、多数の小さな段差または微細段差を含み得、リダイレクタは、リダイレクタ１６０を通る軸に沿って軸方向に分離された一連の同心円である。図３は、広い端部１６２から狭い端部１６４まで延在する円錐台形状部を含む該リダイレクタ１６０の一実施形態例を示している。リダイレクタ１６０の狭い端部１６４は、ＬＥＤ１７０から放出される最も高レベルの光をリダイレクタの微細段差に向かって矢印１７２に沿って上方に方向付ける発光の主軸によって位置決めされたＬＥＤ１７０によって取り囲まれる。発光の主軸は、リダイレクタの中心に位置する軸２００に実質的に平行である。図３の詳細図１６６は、リダイレクタ１６０のテーパー状の円錐台形状部を形成するリダイレクタの微細段差１６８を示している。段差１６８は、ＬＥＤ１７０からの光をランタンから離れる所望の方向に反射させる、または光の向きを変えるのを助長するように、アールが形成される、面取りされる、または勾配が付けられるが、リダイレクタの段差間の部分１６９は、軸２００に実質的に平行であり得る。段差の同心性は、必ずしも絶対的な条件ある必要はなく、製作誤差により互いにわずかにオフセットし得るので、段差の「同心性」は、完全な同心性を必要とせず、実質的に同心または基本的に同心である状態を含む。完全な同心性からのズレは、大きくても、隣接する平行部分１６９間の段差の幅のように比較的小さいズレであり得る。同様に、段差１６８間の部分１６９は、リダイレクタによって規定される軸に完全には平行であるということはあり得ない。リダイレクタ１６０を製作するのに使用される射出成形金型の製作誤差のような製作誤差の範囲内のわずかなオフセットが存在し得る。
【００１９】
図４は、図３の実施形態によって形成される光パターンを示しており、ＬＥＤ１７０からの光は、主に、リダイレクタ１６０に向かって矢印２２０に沿って発光の軸に沿って放出される。光は、リダイレクタ１６０の段差１６８にぶつかり、矢印２１０で示されている方向に反射される、または向きが変えられる。光路２１０は、２２０に沿ってＬＥＤ１７０によって放出された光に対して略垂直であるが、段差１６８は、進入角２２０に対応して任意の選択された方向に光を反射させる、または光の向きを変えるように構成され得る。
【００２０】
上述の実施形態では、全般に、「リダイレクタ」をＬＥＤから放出された光の向きをランタンから離れる方向に向きに変えるものとして表しているが、光の「向きの変更」は、光がリダイレクタ１６０に到達したときに、光の反射または屈折の１つまたは両方によって生じ得る。このように、屈折レンズは、所望の経路に沿って光を反射または向きをかえるためにレンズのファセットを使用することによって、「反射体」または「光導体」としての機能を果たし得る。図３に戻ると、屈折レンズまたは光導体は、例えば、ポリカーボネート（ＰＣ）、ポリ（メタクリル酸メチル）（ＰＭＭＡ）、またはガラスのような固体透明材料を含み得、中空形状で形成され得る。外表面１６５とリダイレクタ１６０の表面との間の領域は、この固体材料製であり得、リダイレクタ表面の段差はこの材料に形成される。ＬＥＤ１７０から放出された光は、固体透明材料を通過して、反射体を有する場合と同様に段差の表面にぶつかり、 図４に示されているのと同様に段差の表面が光を反射させ得る。ＬＥＤからの光の向きを変えるために光導体または屈折レンズが使用されるこのような実施形態では、リダイレクタ１６０の材料は、透明（または少なくとも半透明）であり得るので、キャビティ２３０はリダイレクタ１６０を通して見える。いくつかの実施形態では、キャビティは見える状態であり得るが、他の実施形態では、キャビティを遮蔽するのが望ましい場合があり、この遮蔽は、円錐台状リダイレクタの形状に類似した円錐台状のインサートのようなインサートを使用して行われ得る。あるいは、キャビティ内の遮蔽体は、円錐台状リダイレクタ１６０の狭い端部内に収まるような直径を有する円筒体であり得る。
【００２１】
リダイレクタの円錐台形状部が反射体であろうと、屈折媒体であろうと、図４に示されている経路に沿って光源から放出された光の向きを変える効果は同じである。リダイレクタ１６０の形状により、広い端部１６２と狭い端部１６４との間でリダイレクタ内部にキャビティが画定される。図４に示されているキャビティ２３０は、キャビティの少なくとも部分的に、ＬＥＤ１７０用の電源を受容し得る。電源は、外部電源を必要とせずにランタン１００をワイヤレスで機能させることができる電池または蓄電器であり得る。図５は、リダイレクタ１６０およびその中に画定されたキャビティ２３０とを含むランタンの一部の切り取り図である。図５はさらに、キャビティ２３０内に受容される電池の形態の電源２４０を示している。ランタンは、ニッケルカドミウム（ＮｉＣａｄ）電池、リチウムイオン電池、ニッケル水素電池、鉛酸電池などのような任意のタイプの電池によって電力が供給されるように構成され得る。電池は、充電池であり得、この場合、ランタンは、電池２４０をキャビティ２３０内に入れた状態で充電するために、ランタンの外部電源への接続を可能にする回路を有するように構成され得る。電池２４０は、随意に、キャビティ２３０から取り外し可能であり得る。ランタンの基部は、電池のような電源の挿入、取り外し、および交換のためにキャビティに接近できるように取り外し可能であり得る。
【００２２】
電源を受容する、または少なくとも部分的に受容するのにリダイレクタ１６０内のキャビティ２３０を使用することにより、ランタンをより小型のフォームファクタで具現化することができる。図６は、電源が円錐台状リダイレクタ１６０のキャビティ２３０内に受容される利点を示した、ランタンの一実施形態例の分解図である。分解図は、円筒状筐体１５０の円筒状のランタン端部またはキャップ１９５の周囲に受容される基部１９０を示している。電源２４０は、筐体１５０内部の円錐台状リダイレクタ１６０によって画定されたキャビティ内に受容される。いくつかの実施形態によれば、端部キャップ１９５と筐体１５０との間の境界面に、Ｏリング１９７のようなシールが配置され得る。このようなシールは、筐体の防水または耐水、防塵および防汚の機能を果たし得、漏れたバッテリ液のような流体がランタンの筐体１５０から漏れるのを防止するために、キャビティを封止し得る。
【００２３】
端部キャップ１９５の反対側は、ランタン頂部１１０である。ランタン頂部１１０は、ランタン頂部１１０上に配置され得る電源スイッチに使用され得る回路基板３３０を収容し得る。回路基板はさらに、電源２４０からの電力をＬＥＤ回路基板１８０およびその後にＬＥＤ１７０に電気的に伝達するためのＬＥＤドライバとしての機能を果たし得る。電池は、電源インターフェース３２０を介して回路基板３３０と電気的に通信し得る。いくつかの実施形態によれば、電源２４０は、電源インターフェース３２０に近接する電源の端部に正端子と、接地端子もしくは負端子との両方を有し得る。随意に、電源２４０が両端に正端子と負端子とを有する（例えば、端部キャップ１９５の近くに一方の端子、電源インターフェース３２０に近接して他方の端子を有する）場合、端部キャップ１９５は、筐体１５０のキャビティを通る電線管（例えば、ワイヤまたは配線）を介して、回路基板３３０と電気的に通信するように構成され得る。
【００２４】
ランタンには、ある特定の状況では、ＬＥＤ１７０に電力を供給し、および／または電源２４０を充電するために、外部電源が設けられ得る。図示されている実施形態では、ハンドル１３０は、ハンドルおよび充電コードの両方の機能を果たす。図７は、ランタン１１０の頂部の断面図である。図示されているように、ハンドル１３０は、携行または吊り下げ位置で配置されており、ハンドル１３０の両端はランタン１１０の頂部に取り付けられている。ハンドル１３０は、第１の端部に近接して、ユニバーサル・シリアル・バス（ＵＳＢ）コネクタのような第１のコネクタ１３２を含む。第１のコネクタ１３２は、ランタン頂部１１０の第１のポート１３３内に受容される。ハンドル１３０は、ハンドルの第２の端部に近接して、第２のコネクタ１３４を含む。第２のコネクタ（例えば、マイクロＵＳＢコネクタであり得る）は、ランタンの頂部の第２のポート１３５内に受容される。第１のコネクタ１３２と第２のコネクタ１３４は、ハンドル１３０を介して互いに電気的に通信している。第１のポート１３３および第２のポート１３５はそれぞれ、ランタンの受電ポートとしての機能を果たす。さらに、第１のポート１３３および第２のポート１３５は、ランタンの電源を使用して、モバイル機器または携帯電話のような周辺デバイスを充電するための受電ポートとしての機能を果たし得る。
【００２５】
ハンドル１３０の第１のコネクタ１３２は、第２のコネクタ１３４が第２のポート１３５に接続された状態のまま、ランタン頂部１１０の第１のポート１３３から外され得る。この位置で、第１のコネクタを電源に差し込むことにより、ハンドルを介してランタン頂部１１０の第２のポート１３５に電力を供給して、電源を充電する、またはＬＥＤに電力を供給することができる。反対に、第１のコネクタ１３２が第１のポート１３３に差し込まれ、第２のコネクタ１３４が第２のポート１３５から外されて電源に差し込まれた状態では、電力がランタンに供給されて、電源が充電される、またはＬＥＤに電力が供給されることになる。このように、ランタンは、２つの異なるサイズおよびタイプの電源接続ポート（例えば、ＵＳＢおよびマイクロＵＳＢであるが、ランタンは他のサイズおよびタイプの電源接続ポートから電力が供給されるように構成されることもある）から電力が供給されるように構成される。電源接続ポートのタイプは、ＵＳＢ、同軸電力ケーブルコネクタ（例えば、Ｍ１−Ｍ９サイズ）、ＲＣＡコネクタ、３．５ｍｍジャック、２．５ｍｍジャックなどを含み得る。さらに、第１のポート１３３または第２のポート１３５は、例えば、電力を供給するコネクタが第１のポート１３３または第２のポート１３５に差し込まれたときに、周辺デバイスが第１のポート１３３または第２のポート１３５の他方に差し込まれ、電力を供給するコネクタからランタンのコネクタを介して電力を受け取ることができるように、パススルー充電を容易にし得る。周辺デバイスへのパススルー電力供給は、同時にランタンの電源を充電しながら行われ得る。
【００２６】
上述の説明および関連する図面に示されている教示の助けを借りることで、本発明が関係する分野の当業者には、本発明の多くの変更形態および他の実施形態が思い浮かぶであろう。したがって、本発明は開示されている特定の実施形態に限定されるものではなく、変更形態および他の実施形態も添付の請求項の範囲内に含まれるものとする。本明細書には特定の用語が使用されているが、これらの用語は、単に一般的かつ記述的な意味で使用されており、限定する目的で使用されていない。
【符号の説明】
【００２７】
１００  ランタン
１１０  頂部
１６０  リダイレクタ
１７０  光源
１９０  基部
２００  軸
【図１】
2018152342.tif 000003
【図２】
2018152342.tif 000004
【図３】
2018152342.tif 000005
【図４】
2018152342.tif 000006
【図５】
2018152342.tif 000007
【図６】
2018152342.tif 000008
【図７】
2018152342.tif 000009